(57)【要約】      （修正有）【課題】スライダーに装着したスライダーカバーがガタつかないようにすることができるスライドファスナーのスライダーカバーおよびスライダーセットを提供する。【解決手段】スライダー２の上下にそれぞれ装着する上装着板４および下装着板５、上装着板と下装着板の前部同士をスライダーの前方で連結する連結柱を備える。上装着板は、上翼板２１に対して上方に配置される上板４１であって引手を通すために上下方向に貫通する貫通穴４１ｈが形成された上板、上板から下方に突出する上壁を備える。下装着板は、下翼板２２に対して下方に配置される下板５１、下翼板の外周の前方および左右側方を囲むと共に下板から上方に突出する下壁５３を備える。上装着板と下装着板の少なくとも一方は、対応する上壁または下壁の内周面から突出すると共に対応する上翼板または下翼板の外周面の一部分に密接するための凸部７を備える。【選択図】図１
0003206107.tif 000002
【実用新案登録請求の範囲】
【請求項１】
スライダー（２）の上下にそれぞれ装着する上装着板（４）および下装着板（５）、前記上装着板（４）と前記下装着板（５）の前部同士を前記スライダー（２）の前方で連結する柱状の連結柱（６）を備え、
前記上装着板（４）は、前記スライダー（２）の上翼板（２１）に対して上方に配置される上板（４１）であって前記スライダー（２）の引手（２Ｂ）を通すために上下方向に貫通する貫通穴（４１ｈ）が形成された前記上板（４１）、前記上板（４１）から下方に突出する上壁（４３）を備え、
前記下装着板（５）は、前記スライダー（２）の下翼板（２２）に対して下方に配置される下板（５１）、前記下翼板（２２）の外周の前方および左右側方を囲むと共に前記下板（５１）から上方に突出する下壁（５３）を備え、
前記上装着板（４）と前記下装着板（５）の少なくとも一方は、対応する前記上壁（４３）または前記下壁（５３）の内周面から突出すると共に対応する前記上翼板（２１）または前記下翼板（２２）の外周面の一部分に密接するための凸部（７）を備えることを特徴とするスライドファスナーのスライダーカバー。
【請求項２】
前記上壁（４３）は、前記上翼板（２１）の外周の前方および左右側方を囲むと共に、前記貫通穴（４１ｈ）の前方および左右側方に配置されることを特徴とする請求項１記載のスライドファスナーのスライダーカバー。
【請求項３】
前記下装着板（５）は、前記下壁（５３）の内周面から左右対称的に突出する一対の前記凸部（７，７）としての下凸部（７２，７２）を備えることを特徴とする請求項１または２に記載のスライドファスナーのスライダーカバー。
【請求項４】
前記上装着板（４）は、前記上壁（４３）の内周面から左右対称的に突出する一対の前記凸部（７，７）としての一対の上凸部（７１，７１）を備えることを特徴とする請求項３記載のスライドファスナーのスライダーカバー。
【請求項５】
前記上壁（４３）は、前記貫通穴（４１ｈ）の前方に配置される上前壁（４４）、前記貫通穴（４１ｈ）の左右側方に配置される一対の上側壁（４５，４５）を備え、
一対の前記上側壁（４５，４５）は、その左右方向の間隔が後方に向かうにつれて徐々に狭くなるものであり、
前記一対の前記上凸部（７１，７１）は、一対の前記上側壁（４５，４５）の内周面から左右対称的に突出することを特徴とする請求項４記載のスライドファスナーのスライダーカバー。
【請求項６】
請求項１〜４の何れかに記載の前記スライダーカバー（３）と、前記スライダーカバー（３）を装着する前記スライダー（２）とを備えるスライダーセットであって、
前記スライダー（２）は、上下に対向する前記上翼板（２１）および前記下翼板（２２）、前記上翼板（２１）および前記下翼板（２２）を互いの前部で連結する案内柱（２３）、前記上翼板（２１）から上方に突出する引手取付部（２４）、前記引手取付部（２４）に取り付けられる引手（２Ｂ）を備え、
前記スライダーカバー（３）は、前記上壁（４３）が前記上翼板（２１）に対して隙間（Ｇ）を介して沿う形状であると共に、前記下壁（５３）が前記下翼板（２２）に対して隙間（Ｇ）を介して沿う形状であり、
前記凸部（７）は、対応する前記上翼板（２１）または前記下翼板（２２）に密接することを特徴とするスライダーセット。
【請求項７】
請求項５記載の前記スライダーカバー（３）と、前記スライダーカバー（３）を装着する前記スライダー（２）とを備えるスライダーセットであって、
前記スライダー（２）は、上下に対向する前記上翼板（２１）および前記下翼板（２２）、前記上翼板（２１）および前記下翼板（２２）を互いの前部で連結する案内柱（２３）、前記上翼板（２１）から上方に突出する引手取付部（２４）、前記引手取付部（２４）に取り付けられる引手（２Ｂ）を備え、
前記上翼板（２１）は、その左右方向の幅が後方に向かうにつれて徐々に狭くなる上幅狭部（２１ｓ）を備えており、
前記スライダーカバー（３）は、前記上壁（４３）が前記上翼板（２１）に対して隙間（Ｇ）を介して沿う形状であると共に、前記下壁（５３）が前記下翼板（２２）に対して隙間（Ｇ）を介して沿う形状であり、
一対の前記上凸部（７１，７１）は前記上幅狭部（２１ｓ）の左右側面に密接し、
一対の前記下凸部（７２，７２）は前記下翼板（２２）に密接することを特徴とするスライダーセット。
【考案の詳細な説明】
【技術分野】
【０００１】
本考案は、スライドファスナーのスライダーに装着するスライダーカバー、およびスライダーカバーとスライダーとを備えるスライダーセットに関する。
【背景技術】
【０００２】
従来のスライダーカバーの一例として、スライダーの上下にそれぞれ装着する上部構造および下部構造、上部構造と下部構造の前部同士をスライダーの前方で連結する前方結合部を備え、その内部にスライダーを収容するものが存在する（特許文献１）。より詳しくは、以下の通りである。
【０００３】
上部構造は、スライダーの上翼板の上方に配置される環状部と、環状部の左右から下方に突出する一対の壁部とを備えている。また一対の壁部は、その左右方向の内側に上翼板を収容するもので、上翼板の左右への変位を規制するものである。
【０００４】
下部構造は、下翼板の下に配置される板状の下部主部と、下部主部から前方に突出すると共に段差状に上方に突出させた下部副部とを備え、下部副部の後面を下翼板の形状に対応させて前方へ向かって凹んだ凹み部とするものである。
【０００５】
また特許文献１には記述はないが、スライダーカバーを設計する場合、一対の壁部および凹み部は、上翼板および下翼板の外周形状よりも僅かに大きく形成するのが、技術常識である。つまりスライダーカバーの内周面とスライダーの外周面との間には隙間が形成されるのが、技術常識である。
【先行技術文献】
【特許文献】
【０００６】
【特許文献１】実用新案登録第３１９３１６０号
【考案の概要】
【考案が解決しようとする課題】
【０００７】
しかしながらスライダーカバーの内周面とスライダーの外周面との間に隙間があるので、スライダーを操作してスライドファスナーを開閉すると、スライダーの外側に装着したスライダーカバーがガタついて、音が発生する。
かといって音がしないように、スライダーカバーの内周面の形状をスライダーの外周面の形状に完全に一致させることは、製造技術上、困難である。
【０００８】
本考案は、上記実情を考慮したもので、スライダーを操作するときに、スライダーカバーができる限りガタつかないようにすることを目的とする。
【課題を解決するための手段】
【０００９】
本考案のスライダーカバーは、スライダーの上下にそれぞれ装着する上装着板および下装着板、上装着板と下装着板の前部同士をスライダーの前方で連結する柱状の連結柱を備える。上装着板は、スライダーの上翼板に対して上方に配置される上板であってスライダーの引手を通すために上下方向に貫通する貫通穴が形成された上板、上板から下方に突出する上壁を備える。下装着板は、スライダーの下翼板に対して下方に配置される下板、下翼板の外周の前方および左右側方を囲むと共に下板から上方に突出する下壁を備える。上装着板と下装着板の少なくとも一方は、対応する上壁または下壁の内周面から突出すると共に対応する上翼板または下翼板の外周面の一部分に密接するための凸部を備える。
【００１０】
「上装着板と下装着板の少なくとも一方は、対応する上壁または下壁の内周面から突出すると共に対応する上翼板または下翼板の外周面の一部分に密接するための凸部を備える」とは、１）上装着板は凸部を備え、下装着板は凸部を備えない場合、２）下装着板は凸部を備え、上装着板は凸部を備えない場合、３）上装着板および下装着板はいずれも凸部を備える場合の３つの場合が存在する。
【００１１】
上壁は、上板から下方に突出するものであり、その具体的な配置の好適な例としては、次のようにすることが望ましい。
すなわち上壁は、上翼板の外周の前方および左右側方を囲むと共に、貫通穴の前方および左右側方に配置されるようにすることである。
【００１２】
凸部は上装着板、下装着板のいずれに備えられるかを問わないし、凸部の個数も問わないが、スライダーに対するスライダーカバーの装着状態を安定させるには、次の１）、２）のようにすることが望ましい。
１）下装着板は、下壁の内周面から左右対称的に突出する一対の凸部としての下凸部を備えることである。
２）上記した１）に加え、上装着板は、上壁の内周面から左右対称的に突出する一対の凸部としての上凸部を備えることである。
【００１３】
この２）の場合に、スライダーの形状を利用して、スライダーに対するスライダーカバーの装着状態を安定させることもできる。たとえばスライダーの上翼板が、その左右方向の幅が後方に向かうにつれて徐々に狭くなる上幅狭部を備えているものであれば、次の２−１）のようにすることが望ましい。
２−１）上壁は、貫通穴の前方に配置される上前壁、貫通穴の左右側方に配置される一対の上側壁を備える。一対の上側壁は、その左右方向の間隔が後方に向かうにつれて徐々に狭くなるものである。一対の上凸部は、一対の上側壁の内周面から左右対称的に突出することである。
【００１４】
上記したスライダーカバーは、取り付ける対象のスライダーを想定したものである。そして本考案のスライダーセットは、上記したスライダーカバーと、スライダーカバーを装着するスライダーとを備えるものである。スライダーは、上下に対向する上翼板および下翼板、上翼板および下翼板を互いの前部で連結すると共に左右のエレメント列を案内する案内柱、上翼板から上方に突出する引手取付部、引手取付部に取り付けられる引手を備えるものである。そしてスライダーカバーは、上壁が上翼板に対して隙間を介して沿う形状であると共に、下壁が下翼板に対して隙間を介して沿う形状であり、凸部が対応する上翼板または下翼板に密接するものである。
【００１５】
また本考案のスライダーセットは上記構成を前提とし、そのうえで上記した２−１）のスライダーカバーを用いる場合に、スライダーに対するスライダーカバーの装着状態を安定させるには、次のようにすることが望ましい。
すなわち、上翼板は、その左右方向の幅が後方に向かうにつれて徐々に狭くなる上幅狭部を備えており、一対の上凸部は上幅狭部の左右側面に密接し、一対の下凸部は下翼板に密接することである。
【考案の効果】
【００１６】
本考案のスライダーカバーによれば、想定するスライダーに装着することにより、凸部が上翼板または下翼板の外周面の一部分に密接するので、凸部のないスライダーカバーに比べて、スライダーに対するスライダーカバーの装着状態が安定し、スライダーを操作したときに、スライダーカバーがガタつき難くなる。
【００１７】
また一対の凸部としての下凸部を下装着板が左右対称的に備えるスライダーカバーであれば、下翼板に対する下装着板の装着状態がより安定する。
【００１８】
また一対の凸部としての上凸部を上装着板が左右対称的に備えるスライダーカバーであれば、上翼板に対する上装着板の装着状態がより安定する。
【００１９】
また上壁が上前壁と一対の上側壁を備え、一対の上側壁の左右方向の間隔を後方に向かうにつれて徐々に狭くすると共に一対の上凸部を一対の上側壁の内周面から左右対称的に突出するスライダーカバーであれば、装着するスライダーの上翼板が、その左右方向の幅を後方に向かうにつれて徐々に狭くした上幅狭部を備えている場合、一対の上凸部が上翼板を左右から挟みながら前方へ押し付けるように作用するので、上翼板に対する上装着板の前後方向の装着状態がより安定する。しかも一対の下凸部が下翼板に密接するので、スライダーに対するスライダーカバーの装着状態が安定する。
【００２０】
また本考案のスライダーセットによれば、上記したスライダーカバーと同じ効果が得られる。
【図面の簡単な説明】
【００２１】
【図１】本考案の第一実施形態のスライダーカバーをスライダーに装着した状態のスライダーセットを上から視た状態を示す説明図である。
【図２】本考案の第一実施形態のスライダーカバーをスライダーに装着する前の状態を示す斜視図である。
【図３】本考案の第一実施形態のスライダーカバーをスライダーに装着する前の状態を示す側面図である。
【図４】本考案の第一実施形態のスライダーカバーをスライダーに装着したときの状態を示す断面図である。
【図５】下装着板と下翼板との関係を示す平面図である。
【図６】（イ）（ロ）図は、上装着板と上翼板との関係を示す平面図、下面図である。
【図７】（イ）（ロ）図は、上部材を示す平面図、下面図である。
【図８】（イ）（ロ）図は、上部材を示す側面図、図７のＡ−Ａ線断面図である。
【図９】（イ）（ロ）図は、下部材を示す平面図、正面図である。
【図１０】（イ）（ロ）図は、下部材を示す側面図、図９のＡ−Ａ線断面図である。
【図１１】本考案の第一実施形態のスライダーカバーを適用したスライドファスナーを示す平面図である。
【図１２】本考案の第二実施形態のスライダーカバーに適用する下部材を示す平面図である。
【考案を実施するための形態】
【００２２】
本考案の第一実施形態のスライダーカバー３が適用されたスライドファスナーＦは、図１１に示すように、平行に延長する一対のファスナーストリンガー１，１と、一対のファスナーストリンガー１，１の対向する側縁部に沿って移動可能なスライダー２と、スライダー２に装着するスライダーカバー３と、一対のファスナーストリンガー１，１が延長する長手方向の両端部においてスライダー２の移動範囲を定める第１及び第２の止具８，９とを備える。なおスライダー２とスライダーカバー３とが一体化したものは、スライダーセットと称する。
【００２３】
以後、方向を説明するに際して、長手方向のことを前後方向とも言う。前方向とは、図１１の上方向であって、スライダー２が一対のファスナーストリンガー１，１を閉じる方向である。後方向とは、図１１の下方向であって、スライダー２が一対のファスナーストリンガー１，１を開く方向である。また左右方向とは、長手方向（前後方向）と直交し且つ一対のファスナーストリンガー１，１を並べる方向のことであり、幅方向とも言う。左方向とは、図１１の左方向であって、右方向とは、図１１の右方向である。さらに前後方向及び左右方向に直交する方向を上下方向（厚み方向）と言う。上方向とは、図１１の紙面に対して直交する方向、すなわち前後方向及び左右方向に直交する方向のうち手前側を向く方向である。下方向とは、図１１の紙面に対して直交する方向のうち奥側を向く方向である。
【００２４】
一対のファスナーストリンガー１，１は、前後に延長すると共に左右に並べる一対のテープ１１，１１と、一対のテープ１１，１１における対向する左右の側縁部に沿って固定された一対のエレメント列１２，１２とを備えている。
【００２５】
テープ１１は、前後に長い帯状であって、その厚み方向は上下方向である。
【００２６】
エレメント列１２は、テープ１１の対向する側縁部に沿って一列に配置された多数のエレメント１３によって形成される。多数のエレメント１３は、連続する一体物であっても良いし、別々に分離したものでも良い。
一対のファスナーストリンガー１，１を閉じる為にスライダー２を前方へ移動させると、一対のエレメント列１２，１２のエレメント１３，１３同士が噛合し、スライダー２が第１の止具８に衝突することによって、スライダー２の更なる前方への移動が阻止される。また一対のファスナーストリンガー１，１を開く為にスライダー２を後方へ移動させると、一対のエレメント列１２，１２のエレメント１３，１３同士が左右に分離し、スライダー２が第２の止具９に衝突することによって、スライダー２の更なる後方への移動が阻止される。
【００２７】
スライダー２は、一対のエレメント列１２，１２に係合すると共に前後に移動可能なスライダー胴体２Ａと、スライダー胴体２Ａに対して連結される引手２Ｂ（図３参照）とを備える。
【００２８】
スライダー胴体２Ａは図１〜３に示すように、上下方向に間隔をおいて対向する上翼板２１および下翼板２２と、上翼板２１および下翼板２２の前部同士の対向する間を互いの左右方向中間部において連結する案内柱２３であって一対のエレメント列１２，１２を案内する案内柱２３と、上翼板２１の上面側に突出する引手取付部２４とを備えている。
【００２９】
上翼板２１および下翼板２２は、上下に対向する板状の上翼板本体部２１ａおよび下翼板本体部２２ａと、上翼板本体部２１ａと下翼板本体部２２ａの少なくとも一方（図示の例では両方）の左右端部から上下に対向する間隔を狭める方向に突出するフランジ部２１ｂ，２２ｂとを備える。
【００３０】
上翼板本体部２１ａは、その前面がほぼ円弧状に膨らむと共にその前面の幅方向中央部が最も前方に突出する左右対称形状であり、その左右側面が前部においては左右方向の幅が後方に向かうにつれて徐々に狭くなり、その左右側面が後部においては左右方向の幅がほぼ均一な形状となっている。
換言すれば、上面視において、上翼板本体部２１の外形は、その幅が端から後方に向けて徐々に拡がり、最も広がった位置（前後方向の全長のほぼ中間位置）から更に後方に向かうにつれて徐々に狭くなり、ある程度狭くなってから後端までほぼ均一になっている形状である。なお、ここで上翼板本体部２１の外形のうち幅が最も拡がった位置が、上翼板本体部２１の前面と側面の境界部である。
上側のフランジ部２１ｂの形状は、上翼板本体部２１ａから下方に突出する関係上、上翼板本体部２１ａの左右側面に対応する形状になっている。
上翼板本体部２１ａと上側のフランジ部２１ｂの形状は、このように対応しており、上翼板本体部２１ａと上側のフランジ部２１ｂを備える上翼板２１の左右方向の幅が後方に向かうにつれて徐々に狭くなる部分を上幅狭部２１ｓと称する。
【００３１】
下翼板２２は、上翼板２１とほぼ上下対称的な形状をしているので、下翼板２２のうち（下翼板本体部２２ａと下側のフランジ部２２ｂのうち）左右方向の幅が後方に向かうにつれて徐々に狭くなる部分を下幅狭部２２ｓと称する。
【００３２】
引手取付部２４は、左右方向に貫通する貫通穴２４ａが形成されている。そしてこの貫通穴２４ａに引手２Ｂの一部を挿通することにより、引手２Ｂはスライダー胴体２Ａに連結される。
【００３３】
またスライダー胴体２Ａはその内部空間として、エレメント通路２５と、一対のテープ溝２６，２６を備える。エレメント通路２５には一対のエレメント列１２，１２が通され、各テープ溝２６には対応する側のテープ１１が通される。
エレメント通路２５は、上翼板２１と下翼板２２の上下間において前後方向に貫通すると共に、その前部が案内柱２３によって二又に分岐している。
一対のテープ溝２６，２６は、エレメント通路２５に連通すると共に上翼板２１と下翼板２２の左右側部における上下間において左右に開口する。
【００３４】
第１の止具８は図１１に示すように、一対のエレメント列１２，１２に対して前方において各テープ１１に別々に固定されている。
第２の止具９は、図示の例では、いわゆる開離嵌挿具と称されるもので、２つのテープ１１のうち一方に固定された蝶棒９ａと、他方に固定された箱９ｂとを備える。
【００３５】
本考案の第一実施形態のスライダーカバー３は図２，３に示すように、スライダー２の上下にそれぞれ装着する上部材３Ａと下部材３Ｂの二部材から構成されるもので、上部材３Ａと下部材３Ｂを互いの前部において上下方向に連結することにより一体化されるものである。また一体化された上部材３Ａと下部材３Ｂは、スライダー２の上側に装着する上装着板４、スライダー２の下側に装着する下装着板５、上装着板４と下装着板５の前部同士をスライダー２の前方で連結する柱状の連結柱６を備えるものである。
【００３６】
上部材３Ａは、上装着板４と、連結柱６の上部となる上部連結柱６Ａであって上装着板４の前部における左右方向の幅中央部から下方に突出すると共に下部材３Ｂの前部に連結する上部連結柱６Ａを備える。
【００３７】
上装着板４は図２，３，７，８に示すように、スライダー２の上翼板２１に対して上方に配置される上板４１であってスライダー２の引手取付部２４と引手２Ｂを通すために上下方向に貫通する貫通穴４１ｈが形成された上板４１、上翼板２１の外周の前方および左右側方を囲む上壁４３であって貫通穴４１ｈの前方および左右側方において上板４１から下方に突出する上壁４３、上壁４３の内周面から突出すると共に上翼板２１の外周面の一部分に密接するための一対の凸部７，７を備える。なお凸部７は、上装着板４だけでなく、後述する下装着板５も備えるものなので、説明の便宜上、区別する必要がある場合には、上装着板４の凸部７を上凸部７１と称し、下装着板５の凸部７を下凸部７２と称する。
【００３８】
上板４１は、スライダー２の外形よりも前後左右方向に長いもので、より詳しくは、上翼板２１の上に被せる上板本体部４１ａと、上板本体部４１ａの左右方向の中央部から前方に突出する上板副部４１ｂとを備える。なお上板本体部４１ａは、上翼板２１の外形よりも前後左右に長い形状であると共に、その下面を前後左右方向に延長する水平な面とする。
【００３９】
また貫通穴４１ｈは、上板本体部４１ａにおいて上下方向に貫通すると共に、前後長を左右長よりも長くしたほぼ楕円状である。また貫通穴４１ｈは、その上翼板２１の外形よりも小さなもので、上板４１の下に配置された上翼板２１が上方に通過しないようにすると共に、引手取付部２４および引手２Ｂが通過する形状にしてある。ちなみに図６の例では、貫通穴４１ｈの外周を形成する上板４１の内周部は、その内側（貫通穴４１ｈ）に引手取付部２４を収容した状態で、上翼板２１の前後を左右対称的に２カ所づつで、上から押さえるようになっている。つまり、上板４１の内周部のうち上翼板２１を上から押さえる４つの押さえ部４１ａ１は、貫通穴４１ｈの周方向に間隔をあけて配置される。
【００４０】
上壁４３は、貫通穴４１ｈの前方において上板４１から下方に突出する上前壁４４と、貫通穴４１ｈの左右側方において上板４１から上前壁４４よりも下方に突出する左右一対の上側壁４５，４５とを備える。
【００４１】
上前壁４４の後面および一対の上側壁４５，４５の内周面（右側の上側壁４５の左側面、左側の上側壁４５の右側面）は、上板４１の下面に対してほぼ垂直に下方に突出する。なお上前壁４４はその後面と下面との角部を面取りし、同様に一対の上側壁４５，４５もその内周面と下面との角部を面取りしてある。
【００４２】
上前壁４４と一対の上側壁４５，４５は、協同して上翼板２１の外周面の前および左右をわずかな隙間Ｇを介して沿うように取り囲むと共に、上翼板２１の外周面の後方を取り囲むことなく開口するものである。
上前壁４４は、上翼板本体部２１ａの外周の前方を隙間Ｇを介して囲むものである。したがって上前壁４４の後面は図６に示すように、上翼板２１の外周面の前面に沿う形状、より詳しくは、上翼板２１の前面よりも僅かに大きな相似形状（図６の例ではほぼ半円状）であり、それにより上翼板２１の前方への移動を規制する。
一対の上側壁４５，４５は、上前壁４４の後端に連続して後方に延長するもので、上翼板本体部２１ａおよび上側のフランジ部２１ｂの外周の左右側方を隙間Ｇを介して囲むものである。また一対の上側壁４５，４５は、上前壁４４よりも上板４１から下方に突出している。
より詳しくは、一対の上側壁４５，４５は、上板４１の左右端部に沿って上板４１の前端から貫通穴４１ｈの後端よりも少し前側の範囲において延長している。そして一対の上側壁４５，４５の後部が上翼板本体部２１ａおよび上側のフランジ部２１ｂの外周の左右側方を隙間Ｇを介して囲む。また一対の上側壁４５，４５の前部が前方に向かうにつれてその左右方向の間隔を上翼板２１から徐々に離れるようにしてある。
一対の上側壁４５，４５の後部の内周面（左側の上側壁４５の後部の右側面、右側の上側壁４５の後部の左側面）は、上翼板２１の外周面のうち左右側面（上幅狭部２１ｓの左右側面）に沿う形状、より詳しくは上翼板２１の左右側面よりも僅かに大きな相似形状である。つまり一対の上側壁４５，４５は、互いの内周面の左右方向の間隔が後方に向かうにつれて徐々に幅狭になる形状である。ちなみに図示の例では上側壁４５は、貫通穴４１ｈの内周面よりも左右方向内側に張り出すように突出する形状である。このような形状により上翼板２１を左右にほとんど移動不能に規制すると共に、後方への移動を規制する。
【００４３】
なお一対の上側壁４５，４５の外周面（右側の上側壁４５の右側面、左側の上側壁４５の左側面）は、上板４１の左右側面に対して左右方向内側に凹むように形成されている。また一対の上側壁４５，４５の後端は左右方向に離れているので、一対の上側壁４５，４５の間の空間部は、後方に通じている。
【００４４】
一対の上凸部７１，７１は図６、７に示すように、上翼板２１の外周面の一部分に密接するように一対の上側壁４５，４５の内周面から左右対称的に突出している。より詳しくは左側の上凸部７１は、左側の上側壁４５の内周面である右側面の前後方向中間部から右側に突出し、右側の上凸部７１は、右側の上側壁４５の内周面である左側面の前後方向中間部から左側に突出している。図示の例では、上下方向から視ると、上凸部７１は上側壁４５の前後方向の全長の途中から「く」の字状に突出しており、しかも上側壁４５の内周面と上凸部７１の内周面とが滑らかに連続する形状となっており、上凸部７１は上側壁４５の一部であるかのような形状となっている。また上下方向の長さに関して上凸部７１は、上側壁４５の上下方向の全長に亘って形成されている。
また一対の上凸部７１，７１の左右の間隔は、最も狭い部分では上翼板２１の上幅狭部２１ｓの対応する部分の左右の幅寸法よりも僅かに狭いものである。
【００４５】
下部材３Ｂは図２，３に示すように、下装着板５と、連結柱６の下部となる下部連結柱６Ｂであって下装着板５の前部における左右方向の幅中央部から上下両方に突出すると共に上部材３Ａの前部である上部連結柱６Ａに連結する下部連結柱６Ｂとを備える。
【００４６】
下装着板５は図２，３，９，１０に示すように、スライダー２の下翼板２２に対して下方に配置される下板５１と、下翼板２２の外周の前方および左右側方を囲むと共に下板５１から上方に突出する下壁５３と、下壁５３の内周面から突出すると共に下翼板２２の外周面の一部分に密接するための一対の凸部７，７としての下凸部７２，７２と、下壁５３の下面から下方に突出する複数の突起部５７とを備える。
【００４７】
下板５１は、平面視すると、左右対称形状で、左右側辺、左右側辺の後端同士を繋ぐ後辺、左右側辺の前端同士を繋ぐ前辺とを備える形状である。前辺は、左右方向の中央部から左右方向の両端へ向かうにつれて後方へ向かうように左右方向に対して傾斜している。左右側辺は、前端から後端へ向かうにつれて左右方向中央側へ向かうように前後方向に対して傾斜している。後辺は、左右方向に平行である。
また下板５１は、その後部を下翼板２２を載せる下板本体部５１ａとし、その前部（下板本体部５１ａよりも前側の部分）を、一対のエレメント列１２，１２の下側を載せる下板副部５１ｂとする。下板本体部５１ａの上面は前後左右方向に延長する水平な面とする。
【００４８】
下板副部５１ｂは、下板本体部５１ａの前面の左右方向の全域から前方に突出している。また上部材３Ａと下部材３Ｂとを連結した状態のスライダーカバー３を平面視すると、図１に示すように、下板副部５１ｂは、上板副部４１ｂよりも左右に張り出すと共に、上板本体部４１ａよりも前方に突出している。
【００４９】
下壁５３は、下翼板２２を載せる箇所の前側において下板５１から上方に突出する下前壁５４と、下翼板２２を載せる箇所の左右外側において下板５１から上方に突出する一対の下側壁５５，５５とを備える。
【００５０】
下前壁５４の後面および一対の下側壁５５，５５の内周面（右側の下側壁５５の左側面、左側の下側壁５５の右側面）は、下板５１の上面に対してほぼ垂直に上方に突出する。下側壁５５は、下板５１から下前壁５４とほぼ同じ程度に上方に突出する。なお下前壁５４はその後面と上面との角部を面取りし、同様に一対の下側壁５５，５５もその内周面と上面との角部を面取りしてある。
【００５１】
下前壁５４と一対の下側壁５５，５５とは、協同して下翼板２２の外周面を前および左右にわずかな隙間Ｇを介して沿うように取り囲むと共に、下翼板２２の外周面の後方を取り囲むことなく開口するものである。
下前壁５４は、下翼板本体部２２ａの外周の前方を隙間Ｇを介して囲むものである。したがって下前壁５４の後面は図５に示すように、下翼板２２の外周面の前面に沿う形状、より詳しくは、下翼板２２の前面よりも僅かに大きな相似形状（図５の例ではほぼ半円状）であり、それにより下翼板２２の前方への移動を規制する。
一対の下側壁５５，５５は、下前壁５４の後端に連続して後方に延長するもので、下翼板本体部２２ａおよび下側のフランジ部２２ｂの外周の左右側方を隙間Ｇを介して囲むものである。また一対の下側壁５５，５５の上端は、下前壁５４の上端と同じ位置になっている。
一対の下側壁５５，５５の内周面（左側の下側壁５５の右側面、右側の下側壁５５の左側面）は、下翼板２２の外周面のうち左右側面（上幅狭部２１ｓの左右側面）に沿う形状、より詳しくは下翼板２２の左右側面よりも僅かに大きな相似形状である。つまり一対の下側壁５５，５５は、互いの内周面の左右方向の間隔が後方に向かうにつれて徐々に幅狭になる形状である。このような形状により下翼板２２を左右にほとんど移動不能に規制すると共に、後方への移動を規制する。
【００５２】
また前後方向の長さに関して一対の下側壁５５，５５は、下板５１の左右端部に沿ってその全長に亘って延長している。
【００５３】
一対の下凸部７２，７２は図９、１０に示すように、下翼板２２の外周面の一部分に密接するように下前壁５４の内周面から左右対称的に突出している。より詳しくは一対の下凸部７２，７２は、下前壁５４の内周面である後面の左右方向中間部から後方に左右対称的に突出している。図示の例では、平面視すると、下凸部７２は、円弧状である。また上下方向の長さに関して下凸部７２は、下側壁５５の上下方向の全長に亘って形成されている。
【００５４】
連結柱６は図３に示すように、上部連結柱６Ａと下部連結柱６Ｂによって形成される。  上部連結柱６Ａは、上板４１の前部（上翼板２１に被せる箇所よりも前方の部分）から下方に突出するもので、上板４１から下方に延長する柱状の上柱６１と、上柱６１の下端面の中央部から下方に延長する上連結部６２とを備える。
【００５５】
下部連結柱６Ｂは、下板５１の前部（下翼板２２を載せる箇所よりも前方の部分）であって左右方向中央部から上方および下方に突出する筒状の下柱６５と、下柱６５の内周面に形成される下連結部６６であって上連結部６２に連結するための下連結部６６とを備える。
下柱６５は、上下に貫通するものである。また下柱６５と上柱６１とは、上部材３Ａと下部材３Ｂを連結したときには、下柱６５の上面と上柱６１の下面が上下に突き合わせるようになる。
【００５６】
上連結部６２と下連結部６６は凹凸による噛み合わせによって連結するものである。
上連結部６２は図７，８に示すように、上柱６１の下端面から前後に間隔をあけて下方に突出する前小柱６３と後小柱６４と、前小柱６３の前面において後方に凹む前側凹部６３ａと、後小柱６４の後面において前方に凹む後側凹部６４ａとを備える。
下連結部６６は図９，１０に示すように、下柱６５の内周面から後方と前方にそれぞれ突出する板状の前側凸部６６ａと後側凸部６６ｂと、下柱６５の内周面の左右側面から側方にそれぞれ突出する一対のガイド部６６ｄ，６６ｄとを備える。
そして前側凸部６６ａと前側凹部６３ａ、並びに後側凸部６６ｂと後側凹部６４ａは、互いに噛み合って、上部連結柱６Ａと下部連結柱６Ｂとを連結し、前小柱６３と後小柱６４の間に一対のガイド部６６ｄ，６６ｄが挟まって上部連結柱６Ａと下部連結柱６Ｂとの連結を強固にする。このようにして連結柱６が形成され、それによって上部材３Ａと下部材３Ｂとを一体化する。
【００５７】
一体化された上部材３Ａと下部材３Ｂとは図４に示すように、スライダー２のエレメント通路２５と同様に、その内部空間として、上装着板４と下装着板５の間には連結柱６の左右で二本となり連結柱６の後方で一本となるカバー用エレメント通路３Ｓを備える。
また一体化された上部材３Ａと下部材３Ｂとは、上装着板４と下装着板５の左右端部における上下間には、カバー用エレメント通路３Ｓに連通する一対のカバー用テープ溝３Ｔが形成される。カバー用エレメント通路３Ｓには一対のエレメント列１２，１２が通され、各カバー用テープ溝３Ｔには対応する側のテープ１１が通される。
【００５８】
上記した第一実施形態のスライダーカバー３は図１に示すように、取り付けることを想定した上記スライダー２に装着すれば、上板４１側の凸部７（上凸部７１）が上翼板２１の前面の一部分に密接し、下板５１の凸部７（下凸部７２）が下翼板２２の左右側面の一部分に密接するので、凸部のないスライダーカバー３に比べて、スライダー２に対するスライダーカバー３の装着状態が安定し、スライダー２を操作したときに、スライダーカバー３がガタつき難くなる。
しかも一対の上凸部７１，７１が上装着板４に左右から対称的に密着すると共に、一対の下凸部７２，７２が下装着板５に左右から対称的に密着するので、上翼板２１に対する上装着板４の装着状態、および下翼板２２に対する下装着板５の装着状態がより安定する。
【００５９】
また上壁４３のうち一対の上側壁４５，４５の左右方向の間隔がスライダー２の上翼板２１の上幅狭部２１ｓの形状に合わせて、後方に向かうにつれて徐々に狭くしてあるので、一対の上凸部７１，７１が上翼板２１を左右から挟みながら前方へ押し付けるように作用するので、上翼板２１に対する上装着板４の前後方向の装着状態がより安定する。
【００６０】
またスライダーカバー３とスライダー２とが一体化したスライダーセットも、上記したスライダーカバー３と同じ効果が得られる。
【００６１】
本考案の第二実施形態のスライダーカバー３は図１２に示すように、下部材３Ｂを第一実施形態のスライダーカバー３と相違させ、それ以外については第一実施形態のスライダーカバー３と一致させたものである。より詳しくは、一対の下凸部７２，７２は、一対の下側壁５５，５５の内面に左右対称的に形成されたものである。
【００６２】
本考案は上記実施形態に限定されるものではない。例えば、スライダーカバー３は、前記実施形態では、上部材３Ａと下部材３Ｂが別々の部品、つまり二部品で構成されていたが、上装着板４と下装着板５と連結柱６と一体となった一部品で構成されていても良い。この場合、連結柱６は、その上端、下端が上装着板４、下装着板５にそれぞれ繋がっている。
【符号の説明】
【００６３】
Ｆ  スライドファスナー
１  ファスナーストリンガー
１１  テープ
１２  エレメント列
１３  エレメント
２  スライダー
２Ａ  スライダー胴体
２１  上翼板
２１ａ  上翼板本体部
２１ｂ  上側のフランジ部
２１ｓ  上幅狭部
２２  下翼板
２２ａ  下翼板本体部
２２ｂ  下側のフランジ部
２２ｓ  下幅狭部
２３  案内柱
２４  引手取付部
２４ａ  貫通穴
２５エレメント通路
２６  テープ溝
２Ｂ  引手
３  スライダーカバー
３Ａ  上部材
３Ｂ  下部材
３Ｓ  カバー用エレメント通路
３Ｔ  カバー用テープ溝
４  上装着板
４１  上板
４１ａ  上板本体部
４１ａ１  押さえ部
４１ｂ  上板副部
４１ｈ  貫通穴
４３  上壁
４４  上前壁
４５  上側壁
５  下装着板
５１  下板
５１ａ  下板本体部
５１ｂ  下板副部
５３  下壁
５４  下前壁
５５  下側壁
５７  突起部
６  連結柱
６Ａ  上部連結柱
６Ｂ  下部連結柱
６１  上柱
６２  上連結部
６３  前小柱
６３ａ  前側凹部
６４  後小柱
６４ａ  後側凹部
６５  下柱
６６  下連結部
６６ａ  前側凸部
６６ｂ  後側凸部
６６ｄ  ガイド部
７  凸部
７１  上凸部
７２  下凸部
８  第１の止具
９  第２の止具
９ａ  蝶棒
９ｂ  箱
Ｇ  隙間
【図１】
0003206107.tif 000003
【図２】
0003206107.tif 000004
【図３】
0003206107.tif 000005
【図４】
0003206107.tif 000006
【図５】
0003206107.tif 000007
【図６】
0003206107.tif 000008
【図７】
0003206107.tif 000009
【図８】
0003206107.tif 000010
【図９】
0003206107.tif 000011
【図１０】
0003206107.tif 000012
【図１１】
0003206107.tif 000013
【図１２】
0003206107.tif 000014